(57)【要約】【課題】誤作動防止カバーの取り付け作業を簡単かつ短時間に行うことができるとともに、取り外しの際の余分な作業が不要である感知器誤作動防止カバーの取り付け器具を提供する。【解決手段】伸縮可能な操作棹（11）と、該操作棹の先端に取り付けられた装着作動部とを備え、前記装着作動部に仮装着されたゴム付き誤作動防止カバーを高所に設置されている感知器の表面に移動させて該感知器を覆うように装着させるために使用する感知器誤作動防止カバーの取り付け器具において、前記装着作動部は、下面にロッドを備え作業対象の感知器の外径よりも大きな径を有する第１筒体（31）と、下面に前記ロッドが挿通可能なスリーブを備え前記第１筒体よりも径の大きな第２筒体（21）とを備え、前記ロッドの外周面とスリーブの内周面との間にロッドを係止する係止手段（25，33ａ）が設けられ、該係止手段の係止状態が外れると第１筒体が落下するように構成した。【選択図】図６
2019016073.tif 000002
【特許請求の範囲】
【請求項１】
伸縮可能な操作棹と、該操作棹の先端に取り付けられた装着作動部とを備え、前記装着作動部に仮装着されたゴム付き誤作動防止カバーを高所に設置されている感知器の表面に移動させて該感知器を覆うように装着させるために使用する感知器誤作動防止カバーの取り付け器具であって、
前記装着作動部は、下面にロッドを備え作業対象の感知器の外径よりも大きな径を有する第１筒体と、下面に前記ロッドが挿通可能なスリーブを備え前記第１筒体よりも径の大きな第２筒体とを備え、
前記ロッドの外周面と前記スリーブの内周面との間に前記ロッドを係止する係止手段が設けられ、前記係止手段の係止状態が外れると前記第１筒体が落下するように構成されていることを特徴とする感知器誤作動防止カバーの取り付け器具。
【請求項２】
前記係止手段は、前記スリーブの内周に移動不能に嵌合された係止用リングと、前記ロッドの外周に形成された溝とで構成され、前記ロッドの外周の前記溝の上方には小径部が形成されていることを特徴とする請求項１記載の感知器誤作動防止カバーの取り付け器具。
【請求項３】
前記係止用リングが前記溝に係合した状態で前記第１筒体の上端は前記第２筒体の上端よりも突出するように、前記係止用リングの嵌合位置および前記溝の形成位置が設定されていることを特徴とする請求項２記載の感知器誤作動防止カバーの取り付け器具。
【請求項４】
前記第２筒体の上端には、縁取りゴムが設けられていることを特徴とする請求項１〜３のいずれかに記載の感知器誤作動防止カバーの取り付け器具。
【請求項５】
前記第１筒体および前記第２筒体の底壁には、ほぼ同一の半径位置に、互いに異なる複数の開口が形成されていることを特徴とする請求項１〜４のいずれかに記載の感知器誤作動防止カバーの取り付け器具。
【発明の詳細な説明】
【技術分野】
【０００１】
本発明は、高所に設置されている感知器に誤作動防止カバーを装着する感知器誤作動防止カバーの取り付け器具に関し、特に周縁部にゴム輪を備えたビニール製カバーからなる誤作動防止カバーを天井に設置されている感知器を覆う状態に取り付けるための取り付け器具に関するものである。なお、本明細書においては、火災感知器（煙感知器、赤外線式火災感知器等）およびガス感知器を総称したものを感知器と呼ぶ。
【背景技術】
【０００２】
ビルなどの建造物の天井には火災の発生を検知する火災感知器（煙感知器等）やガス感知器が設置されているが、かかる感知器が設置されているフロアで、改装工事等のためにハツリ作業やサンダ―作業、溶接作業等の工事が実施されることがある。しかし、感知器が設置されている状態で上記のような工事が実施されると、工事で発生する塵埃によって感知器が誤作動するおそれがある。
【０００３】
そこで、感知器が設置されている状態で塵埃が発生する工事を実施する場合には、例えば感知器をビニールカバー等で覆うことにより誤作動を防止することが行われている。また、専用に開発された防塵カバーを使用することもある。
感知器の誤作動防止カバーに関しては、例えば、煙感知器を覆う袋と、煙感知器を覆った袋を煙感知器に留める弾性を有する留め部材と、留め部材に先端部が接続された繋ぎ部材とを備え、当該袋が繋ぎ部材の基端部を引き下ろすことで煙感知器から取り外せるようにした発明が開示されている（特許文献１）。
【０００４】
しかしながら、特許文献１に記載されている誤作動防止カバーにあっては、高所に設置された煙感知器からカバーを容易に取り外すことができるものの、煙感知器に装着するのに脚立や足場を使用する必要があるため、施工性が非常に悪いという課題がある。そこで、誤作動防止カバーを煙感知器に簡単に取り付けることができるようにした取り付け器具に関する発明も提案されている（特許文献２、３）。
【先行技術文献】
【特許文献】
【０００５】
【特許文献１】特開２００９−２５１６５７号公報
【特許文献２】特開２０１３−２４６７１２号公報
【特許文献３】特開２０１３−２４６７０６号公報
【発明の概要】
【発明が解決しようとする課題】
【０００６】
特許文献２や３に開示されている誤作動防止カバーの取り付け器具によれば、脚立や足場を使用することなく高所に設置された煙感知器にカバーを取り付けることができるという利点がある。しかし、特許文献２の取り付け器具は、筒状の台座の上部に設けられたバンド保持部の内側に複数（６個）のフック部が回動可能に設けられた構成を有しており、構造が複雑であるとともに、作業開始時に毎回複数のフック部に弾性バンド（輪ゴム）をいちいち引っ掛けてセットしておく必要がある。
【０００７】
また、特許文献３の取り付け器具は、筒状の台座の上面に複数のピン保持部を設け、該保持部にそれぞれピン（画鋲）を上向きにセットして、天井に押し付けて差し込むことで誤作動防止カバーを固定するというものであるが、複数（６個）のピン保持部を設けているため構造が複雑であるとともに、作業開始時に毎回複数のピンをピン保持部にセットする必要がある。
そのため、いずれも、準備作業が面倒であり、作業完了までの時間が比較的長くなる。また、特許文献３の取り付け器具を使用した場合、工事後の取り外しの際には、ピンが床面に散乱してしまうためその回収作業が必要になるという課題がある。
【０００８】
本発明は上記のような課題を解決するためになされたもので、その目的とするところは、誤作動防止カバーの取り付け作業を簡単かつ短時間に行うことができるとともに、取り外しの際の余分な作業が不要である感知器誤作動防止カバーの取り付け器具を提供することにある。
【課題を解決するための手段】
【０００９】
上記課題を解決するために、本出願に係る発明は、
伸縮可能な操作棹と、該操作棹の先端に取り付けられた装着作動部とを備え、前記装着作動部に仮装着されたゴム付き誤作動防止カバーを高所に設置されている感知器の表面に移動させて該感知器を覆うように装着させるために使用する感知器誤作動防止カバーの取り付け器具において、
前記装着作動部は、下面にロッドを備え作業対象の感知器の外径よりも大きな径を有する第１筒体と、下面に前記ロッドが挿通可能なスリーブを備え前記第１筒体よりも径の大きな第２筒体とを備え、
前記ロッドの外周面と前記スリーブの内周面との間に前記ロッドを係止する係止手段が設けられ、前記係止手段の係止状態が外れると前記第１筒体が落下するように構成した。
【００１０】
上記のような構成によれば、装着作動部の第１筒体（内カップ）の上端外周にゴム付きのカバーを仮装着した状態で操作棹を操作して装着作動部を天井に設置されている感知器に近づけ、カバーを感知器に被せるようにした後、操作棹を押し上げると、第２筒体（外カップ）の上端でカバーの周縁部を抑えつつ、第１筒体（内カップ）下端のロッドと第２筒体（外カップ）下端のスリーブ間に設けられている係止手段の係止が外れて第１筒体が落下するため、第１筒体の上端外周に装着されていたカバーのゴムが感知器の外周に移動することでカバーを感知器の表面に装着することができる。また、ピン等を用いてカバーを天井等に固定するものでないため、工事終了後にカバーを外す際にピンが床面に散乱してしまうことがなく、回収等の余分な作業が発生することもない。
【００１１】
ここで、望ましくは、前記係止手段は、前記スリーブの内周に移動不能に嵌合された係止用リングと、前記ロッドの外周に形成された溝とで構成され、前記ロッドの外周の前記溝の上方には小径部が形成されているように構成する。
かかる構成によれば、リングと溝という比較的簡単な構造で係止手段を構成することができるとともに、ロッドの外周の前記溝の上方には小径部が形成されているため、係止が外れて第１筒体（内カップ）が落下するときの抵抗が小さくなり、第１筒体が速やかに落下することで、第１筒体の上端外周に装着されていたカバーのゴムを感知器の外周へ移動させることができる。
【００１２】
また、望ましくは、前記係止用リングが前記溝に係合した状態で前記第１筒体の上端は前記第２筒体の上端よりも突出するように、前記係止用リングの嵌合位置および前記溝の形成位置が設定されているように構成する。
かかる構成によれば、第１筒体（内カップ）の上端は第２筒体（外カップ）の上端よりも突出しているため、第１筒体の上端外周にカバーを仮装着する準備作業を簡単に行うことができる。
【００１３】
さらに、望ましくは、前記第２筒体の上端には、縁取りゴムが設けられているように構成する。
かかる構成によれば、操作棹を押し上げて第１筒体（内カップ）の上端外周に装着されていたカバーのゴムを感知器の外周へ移動させる際に、第２筒体（外カップ）の上端の縁取りゴムでカバーの周縁部を抑えるため、第１筒体の上端外周に装着されていたカバーのゴムを感知器の外周へ確実に移動させることができる。また、第２筒体（外カップ）の上端で天井面を傷つけることもない。
【００１４】
さらに、望ましくは、前記第１筒体および前記第２筒体の底壁には、ほぼ同一の半径位置に、互いに異なる複数の開口が形成されているように構成する。
かかる構成によれば、第１筒体（内カップ）と第２筒体（外カップ）の底壁にそれぞれ複数の開口が形成されているため、第１筒体と第２筒体の軽量化を図ることができ、操作性が向上するとともに、開口の数が異なるため、開口同士が完全に合致することがなく開口の位置がずれることで、どこかに開口同士が重なる隙間ができ、その隙間に指を通すことで、内側の第１筒体を容易に第２筒体から引き抜く方向へ移動させることができ、準備作業が簡単に行えるようになる。
【発明の効果】
【００１５】
本発明の感知器誤作動防止カバーの取り付け器具によれば、誤作動防止カバーの取り付け作業を簡単かつ短時間に行うことができるとともに、取り外しの際の余分な作業を発生させることがないという効果がある。
【図面の簡単な説明】
【００１６】
【図１】本発明の実施形態である感知器誤作動防止カバーの取り付け器具を示す正面図である。
【図２】図１に示す取り付け器具を構成する装着作動部の一部断面正面図である。
【図３】装着作動部を構成する外カップの詳細を示す平面図および正面図である。
【図４】装着作動部を構成する内カップの詳細を示す平面図および正面図である。
【図５】操作棹の先端に結合金具を用いて装着作動部を取り付けた状態を示す正面図である。
【図６】装着作動部の内カップに誤作動防止カバーをセットして感知器に近づけた状態を示す一部断面正面図である。
【図７】装着作動部の内カップの誤作動防止カバーを感知器に被せた状態を示す一部断面正面図である。
【図８】誤作動防止カバーの感知器への装着が完了直後の装着作動部の状態を示す一部断面正面図である。
【発明を実施するための形態】
【００１７】
以下、本発明に係る感知器誤作動防止カバーの取り付け器具の一実施形態について、図面を参照しながら説明する。図１は感知器誤作動防止カバーの取り付け器具全体の構成を示す。
本実施形態の取り付け器具１０は、図１に示すように、径が少しずつ異なる３本のアルミ製パイプ１１Ａ〜１１Ｃをスライド可能に嵌合させてなる伸縮可能な操作棹１１と、操作棹１１の先端（図では左端）側に取り付けられる装着作動部１２と、操作棹１１と装着作動部１２と結合する結合金具１３とからなる。操作棹１１は、各パイプの長さを例えば１.２〜１．５ｍに設定すれば、４ｍ程度まで伸長させることができ、通常の建造物であればこの程度の長さがあれば充分である。
【００１８】
図２〜図４は、装着作動部１２の構成を示す。図２に示すように、装着作動部１２は、円筒状をなす金属製の外カップ２１と、該外カップ２１の内側に所定の隙間をおいて収納される径の若干小さな円筒状をなす金属製の内カップ３１と、を備える。内カップ３１の径は、作業対象となる感知器の径よりも若干大きくなるように設定されている。なお、外カップ２１および内カップ３１は、金属製に限定されず、合成樹脂やＦＲＰ（繊維強化プラスチック）等の材料で形成されていても良い。操作棹１１も同様である。
上記外カップ２１は、図３に示すように、底壁２１ａの下面に、ビス２２によって固着されたスリーブ２３を備える。
【００１９】
また、外カップ２１の底壁２１ａの中央には、スリーブ２３の内径と同一の径を有する貫通口２１ｂが形成され、この貫通口２１ｂを介してスリーブ２３の内部空間と外カップ２１の内側空間とが連通されている。また、外カップ２１の底壁２１ａには、軽量化のため、中心から同一の半径位置に複数個（例えば８個）の開口２１ｃが形成されている。さらに、外カップ２１の開口側端部には、縁取りゴム２６が係合されている。
上記スリーブ２３は上端にフランジ２４が設けられ、このフランジ２４が底壁２１ａの下面に接触した状態で、ビス２２によって固着されている。スリーブ２３の上端とフランジ２４とは溶接によって結合されている。
【００２０】
そして、スリーブ２３の上部の開口端より少し下がった位置には、旋盤加工等により円周方向の溝が形成され、この溝には配管用炭素鋼のような剛性の高い材料からなる係止用リング２５が嵌合され、該係止用リング２５の一部がスリーブ２３の内周の壁面より僅かに突出するように構成されている。係止用リングの入る溝は開口端に近い側に設けられているため、係止用リング２５を開口端側から押し込むことで溝内にはめ込むことができる。なお、ピストンリングのように、一部をカットして弾性変形可能にして嵌め込むようにしても良い。
【００２１】
内カップ３１は、図４に示すように、底壁３１ａの下面に、ビス３２によって固着されたスライドロッド３３を備える。スライドロッド３３は、中実の金属棒で径が前記スリーブ２３の内径よりも僅かに小さく形成されることで、スリーブ２３内に挿入されて軸方向にスライド可能に構成されている。なお、スライドロッド３３は上端にフランジ３４が設けられ、このフランジ３４が底壁３１ａの下面に接触した状態で、ビス３２によって固着されている。スライドロッド３３の上端とフランジ３４とは溶接によって結合されている。
【００２２】
また、スライドロッド３３の軸方向の長さは、前記スリーブ２３の軸方向長さとほぼ同じ長さなるように設定され、スライドロッド３３の下側の端面にはネジ穴が形成され、このネジ穴には長さ調整用ボルト３５の一端が螺合され、締付けナット３６により固定されている。また、長さ調整用ボルト３５の他端には１組の位置調整ナット３７ａ，３７ｂが螺合されており、これらの位置調整ナット３７ａ，３７ｂ間には、平座金３８が挟持されている。
【００２３】
さらに、スライドロッド３３の中央よりやや下方の位置の外周面には、僅かに凹んだ係合用の溝３３ａが形成され（図４(Ｂ)参照）、この溝３３ａは、前記スリーブ２３の内周の溝に係合されている係止用リング２５の内側突出部が係合可能になっている。また、スライドロッド３３の外周面の上記溝３３ａよりも上方には小径部３３ｂが形成されている。
これにより、前記スリーブ２３に挿入されたスライドロッド３３が移動する際に、スリーブ２３の内周の溝に係合されている係止用リング２５が小径部３３ｂの位置まで移動するとスライドロッド３３の外周と接触しなくなって軸方向の抵抗が小さくなり、スライドロッド３３が移動し易くなる、つまり後述のように誤作動防止カバーを感知器に被せる際に内カップ３１が落下し易くなる。
【００２４】
また、内カップ３１の底壁３１ａには、外カップ２１と同様に軽量化のため、中心から同一の半径位置に複数個（例えば６個）の開口３１ｃが形成されている。内カップ３１の開口３１ｃの形成される半径位置と、外カップ２１の開口２１ｃの形成される半径位置とは、一致している必要はないが、開口３１ｃと開口２１ｃがいずれか２箇所以上で必ず重なるような位置が良い。内カップ３１の開口３１ｃの大きさと外カップ２１の開口２１ｃの大きさは、それぞれ人間の指が挿通可能な大きさとするのが望ましい。
【００２５】
図５には、結合金具１３の構成例が示されている。図５に示すように、操作棹１１の先端には、端部から軸方向へ複数のスリット１１ａが形成されている。これは、操作棹１１の端部を変形し易くするためである。
【００２６】
また、結合金具１３は、円環状をなす金属バンド１３Ａと、金属バンド１３Ａの両端に形成された穴に挿通された蝶ねじ等のボルトおよびナットからなる締め付け具１３Ｂとにより構成されており、締め付け具１３Ｂを緩めた状態で、操作棹１１の端部の開口に外カップ２１底壁のスリーブ２３を挿入して嵌合させてから、締め付け具１３Ｂを締め付けることで固定することができるようになっている。
【００２７】
次に、図６〜図８を参照しながら、上記のような構成を有する取り付け器具１０の使用方法について説明する。
本実施形態の取り付け器具１０を用いて感知器に装着される誤作動防止カバーは、ビニール製のシートの周縁部に輪ゴムを装着したものである。感知器の径が約１０ｃｍの場合、感知器に装着される誤作動防止カバーはおよそ２０ｃｍ四方の大きさのものを使用する。かかるカバーは、大きさが適切な専用のカバーを作成し使用しても良いが、出前こぼれ防止カバーやシャワーキャップとして一般に市販されているものを代用することができる。
【００２８】
図６は、準備作業で、装着作動部の内カップ３１の上部に誤作動防止カバー（以下、単にカバーと称する）Ｃをセットした状態を示す図である。
図６に示すように、内カップ３１の上部にカバーＣをセットする際には、スライドロッド３３の係合用の溝３３ａがスリーブ２３の内周に係合されている係止用リング２５の内側突出部に係合されることで、スライドロッド３３はスリーブ２３に係止され、ある程度の力を加えないと軸方向に移動しない状態になっている。このとき、内カップ３１の上端縁部が外カップ２１の上端縁部よりも若干突出することで、内カップ３１の上部外周にカバーＣをセットし易くなっている。突出量としては、例えば１０〜２５mmが妥当である。
【００２９】
カバーＣは、作業者が片手で外カップ２１を保持し、他方の手でカバーＣの輪ゴムを広げながら内カップ３１の上部外周に被せ、輪ゴムの内側から指先を引き抜くことで簡単に行うことができる。
次に、操作棹１１を伸長させて、天井に設置されている感知器Ｄの下方から装着作動部を近づけ、図７に示すように、カバーＣが感知器Ｄの表面を覆うように内カップ３１の上端縁部を天井面に当接させる。続いて、操作棹１１を素早く上方へ移動させる。すると、内カップ３１が天井に当たっていることで外カップ２１のみが押し上げられ、それによってスライドロッド３３の係合用の溝３３ａとスリーブ２３の内周の係止用リング２５との係合が外れ、内カップ３１が落下して、図８に示すように外カップ２１の底面で受け止められる。
【００３０】
また、外カップ２１が押し上げられることで、外カップ２１の上端縁部が天井に当たるが、このとき天井面と外カップ２１の上端縁部との間にカバーＣの周縁部が挟まれる。そのため、カバーＣの輪ゴムが内カップ３１の上端外周から外れ、感知器Ｄのケース外周へ移動することによってカバーＣが感知器Ｄの表面を覆う状態になって、カバーの装着が完了する。なお、外カップ２１の上端縁部には縁取りゴム２６が設けられているため、外カップ２１の上端縁部が天井面を傷つけることがないとともに、ゴムの摩擦力でビニール製のカバーＣがずれないように抑えることができ、確実にカバーＣの輪ゴムを感知器Ｄのケース外周へ移動させて、カバーを装着させることができる。
【００３１】
カバーの装着完了後には、他の感知器設置場所へ移動して、再び内カップ３１の上部にカバーＣをセットすることとなるが、このとき外カップ２１の底壁と内カップ３１の底壁にそれぞれ異なる数の開口が形成されている。そのため、いずれかの開口同士が重なり合うことで、指を通すことができる程度の隙間が複数生じるので、この隙間に指を通して内カップ３１の底壁を掴み軸方向へ移動させる。これによって、内カップ３１の底壁を外カップ２１の底壁から引きはがすことができるとともに、所定量移動するとスライドロッド３３の係合用の溝３３ａがスリーブ２３の内周の係止用リング２５と係合して係止された状態となる。
【００３２】
また、スライドロッド３３の下端に高さ調整用のナット３７ａ，３７ｂと平座金３８が設けられているため、ナットの高さを調整して、平座金３７がスリーブ２３の下端に当たる位置でスライドロッド３３の係合用の溝３３ａがスリーブ２３の内周の係止用リング２５と係合した状態となるように設定することができ、これによって、内カップ３１を引き抜く際に、平座金３６がスリーブ２３の下端に当って抜け止めとして機能してスライドロッド３３の移動が阻止されることで、容易に係合用の溝３３ａがスリーブ２３の内周の係止用リング２５と係合した状態にセットさせることができる。
【００３３】
以上のように、上記実施形態の取り付け器具１０によれば、脚立等を使用することなく、高所（天井）に設置された感知器に誤作動防止カバーを容易に取り付けることができ、安全で効率の良い誤作動防止カバー取り付け作業を実施することができる。
また、上記取り付け器具１０を用いて感知器に被せたカバーは、例えば操作棹１１等の長い棒の先に両面テープやガムテープを付けたものをカバーに接触させてくっつけてから引くだけの操作で簡単に取り外すことができ、回収作業も簡単である。
【００３４】
なお、前記実施形態では、誤作動防止カバーを装着する感知器として煙感知器を想定して説明したが、ガス感知器の誤作動防止カバーを装着する取り付け器具としても使用できる。また、ビニールカバーとして黒色あるいは光を透過させないシートからなるカバーを使用すれば、紫外線あるいは赤外線など光検知式の火災感知器に誤作動防止カバーを装着する取り付け器具としても使用することができ、溶接作業等の工事の際に発生する火花等によって火災感知器が誤作動するのを防止することができる。
【００３５】
以上本発明者によってなされた発明を実施形態に基づき具体的に説明したが、本発明は前記実施形態に限定されるものではない。例えば、前記実施形態においては、スリーブ２３の内周に溝を切って係止用リング２５を嵌合させるとともにスライドロッド３３の外周の係合用溝３３ａの上方に小径部を形成しているが、逆の関係すなわちスリーブ２３の内周に溝を切って係止用リング２５を嵌合させるとともにスライドロッド３３の外周に係合用溝を設け該溝の下方に大径部を形成した構成としてもよい。
【００３６】
また、前記実施形態においては、係止用リング２５と係合用溝３３ａの係合によりスライドロッド３３を係止し装着時に操作棹の移動に伴う反動で係止を外して内カップ３１を落下させるように構成しているが、スライドロッド３３または内カップ３１の移動を一時的に阻止するピンと該ピンを操作する紐を設け、カバーを装着した内カップ３１と外カップ２１の上端を天井に接触させた状態で紐を引くとピンが外れて内カップ３１が自重で落下する構成であっても良い。
さらに、前記実施形態においては、本発明を感知器の誤作動防止カバーを装着する取り付け器具に適用した場合について説明したが、本発明は監視カメラ等、天井に設置されている器具や設備に防塵カバーを被せる取り付け器具にも利用することができる。
【符号の説明】
【００３７】
１０  取り付け器具
１１  操作棹
１２  装着作動部
１３  結合金具
２１  外カップ（第２筒体）
２３  スリーブ
２５  係止用リング
２６  縁取りゴム
３１  内カップ（第１筒体）
３３  スライドロッド
３３ａ  係合溝
３５  長さ調整用ボルト
３８  平座金
【図１】
2019016073.tif 000003
【図２】
2019016073.tif 000004
【図３】
2019016073.tif 000005
【図４】
2019016073.tif 000006
【図５】
2019016073.tif 000007
【図６】
2019016073.tif 000008
【図７】
2019016073.tif 000009
【図８】
2019016073.tif 000010